(57)【特許請求の範囲】
【請求項１】
ディスク状情報記録媒体を保持するディスクキャディーにおいて、
ディスク状情報記録媒体を載置する載置面を有する本体に対して蓋体をロックする第１のロック手段と、
上記第１のロック手段と別個に設けられた第２のロック手段を有し、
上記第２のロック手段は、
上記ディスクキャディーの本体または蓋体の一方に設けられ、弾性変形し得る材質によって形成されたカム面を含む形成部分と、
上記ディスクキャディーの本体または蓋体の他方の上記形成部分と対向する位置に設けられ、上記形成部分と嵌合することにより上記本体と上記蓋体とのロックを行う回動部品とを有し、
上記形成部分は、凹部と、所定の大きさ以上の力が加えられることにより弾性変形しない限りにおいて上記凹部への接近を妨げる形状部分とを含み、
上記回動部品は、上記カム面で案内されることによって上記凹部に嵌入し得る凸部を有し、
上記凸部は、上記カム面の深さ方向の端部に設けられた上記形状部分を乗り越えることにより上記凹部に嵌入して固定されることを特徴とするディスクキャディー。
【請求項２】
請求項１において、
上記本体に、上記蓋体が起伏自在に軸着されてなるものであることを特徴とするディスクキャディー。
【請求項３】
請求項１において、
上記蓋体が上記本体の側壁部に起伏自在に軸着されてなるものであることを特徴とするディスクキャディー。
【発明の詳細な説明】
【０００１】
【発明の属する技術分野】
この発明は、例えばＣＤ−Ｒ等のディスク状情報記録媒体を、記録および／または再生を行う装置に装着するために使用されるディスクキャディーに関する。
【０００２】
【従来の技術】
従来、ＣＤ−Ｒ，ＣＤ−ＲＷ，ＤＶＤ−ＲおよびＤＶＤ−ＲＷ等のディスク状情報記録媒体は、通常、シャッター機構を有するキャディー内に保持されて記録および／または再生を行う装置に装着される。このようなディスクキャディーは、本来、これらＣＤ−Ｒ等のディスク状情報記録媒体が例えばディスクドライブ部の金属等によって形成された硬度の高い部分に触れることによって、記録面が傷ついたりすることが無いように保護するものである。
【０００３】
ところで、ユーザは、種々の情報を利用するために複数のディスク状情報記録媒体を用いることが多いので、ディスクキャディー内のディスク状情報記録媒体を必要に応じて交換することもある。このため、従来から、ディスクキャディーにはディスク状情報記録媒体を交換するための開閉機構が設けられている。
【０００４】
【発明が解決しようとする課題】
このような開閉機構は、従来、ロック機構を備えてはいるが、２段階のロック機構や、ロックが容易に解除されないようにする機構が設けられていない。このため、ユーザの意図によらずに、例えばユーザが単にディスクキャディーを持ち運ぼうとした時に偶発的にロック機構に関係する位置に触れてしまう場合等に、ロックが解除され、ディスクキャディーが開いてしまうおそれがあった。このような場合には、保持されていたディスク状情報記録媒体がディスクキャディー外に飛び出し、ディスク状情報記録媒体に傷、指紋等が付着し、記録／再生時にエラーが発生する要因となる可能性がある。
【０００５】
従って、この発明の目的は、ユーザの意図によらずにロックが解除され、ディスクキャディーが開放されないディスクキャディーを提供することにある。
【０００６】
【課題を解決するための手段】
請求項１の発明は、ディスク状情報記録媒体を保持するディスクキャディーにおいて、
ディスク状情報記録媒体を載置する載置面を有する本体に対して蓋体をロックする第１のロック手段と、
第１のロック手段と別個に設けられた第２のロック手段を有し、
第２のロック手段は、
ディスクキャディーの本体または蓋体の一方に設けられ、弾性変形し得る材質によって形成されたカム面を含む形成部分と、
ディスクキャディーの本体または蓋体の他方の形成部分と対向する位置に設けられ、形成部分と嵌合することにより本体と蓋体とのロックを行う回動部品とを有し、
形成部分は、凹部と、所定の大きさ以上の力が加えられることにより弾性変形しない限りにおいて凹部への接近を妨げる形状部分とを含み、
回動部品は、カム面で案内されることによって凹部に嵌入し得る凸部を有し、
凸部は、カム面の深さ方向の端部に設けられた形状部分を乗り越えることにより凹部に嵌入して固定されることを特徴とするディスクキャディーである。
【０００７】
以上のような発明によれば、ディスクキャディーのロックが偶発的に解除されないようにすることができる。
【０００８】
【発明の実施の形態】
以下、図１を参照して、この発明の一実施形態について説明する。ディスクキャディー１００は、本体１１０、蓋体部（すなわち蓋体とそれに付随する構成要素の集合体）１２０、シャッター機構部（すなわちシャッタープレート１３１とそれに付随する構成要素の集合体）から構成される。本体１１０は、方形の板状体で合成樹脂製の一体成形品である。この本体１１０には、ＣＤ−Ｒを載置する載置面１１１が円形状の凹部として形成されている。ここで、図１においては、９０がＣＤ−Ｒを示す。載置面１１１の中心部から後部にかけて窓孔１１２が形成されている。この窓孔１１２は、載置面１１１の中心部に位置する円形孔部と、円形孔部から外周方向に円形孔部の直径と略等しい幅で延長されてなる長方形孔部とからなる。
【０００９】
この内、円形孔部は、再生装置のディスクドライブ中のターンテーブルに対向する位置に設けられている。ここで、ターンテーブルは、ディスクキャディー１００がＣＤ−Ｒ９０を保持した状態で再生装置のディスクドライブ中の所定位置（記録／再生等が行われる位置）に挿入された時に、ディスクドライブのスピンドルモータの駆動力をＣＤ−Ｒ９０に伝達するための構成である。円形孔部の周縁には、載置縁面１１１ａが突状に形成されている。一方、長方形孔部は、記録／再生を行うヘッドがシーク／トラッキング動作のために移動することに対応して設けられたものである。
【００１０】
また、載置面１１１の左前端部、右前端部には前壁部１１３、１１３が形成され、後端部（図１中では影となる位置）には後壁部１１４が形成されている。また、後述するように、蓋体１２１上に、前壁部１１３、１１３およびそれらの間の載置外縁面１１１ｂに対向する面を有する突部１２３が形成されている。さらに、左右両端部にはそれぞれ側壁部１１５、１１５が形成されている。一方、載置面１１１の前側両角部には、後述する第２のロック機構の一部である、所定の形状のロック用孔部１１７、１１７が形成されている。
【００１１】
そして、後壁部１１４には方形状の蓋体１２１が起伏自在に（載置面１１１に対して、０度から、例えば９０度等の範囲で回動し得るように）軸着されている。蓋体１２１が起伏自在とされているのでＣＤ−Ｒ９０を必要に応じて出し入れすることができる。この蓋体１２１は、本体１１０の載置面１１１に対する周壁部（すなわち前壁部１１３、１１３、後壁部１１４、側壁部１１５、１１５）の内面側に対向する形状とされている。但し、蓋体１２１上に設けられている突部１２３は、前壁部１１３、１１３の前面およびそれらの間の載置外縁面１１１ｂに対して、載置面１１１に垂直な対向面を有する形状と１されている。
【００１２】
また、両側の側壁部１１５、１１５に隣接する本体１１０の前側には樹脂スプリング部１１６、１１６が設けられ、一方、蓋体１２０上で樹脂スプリング部１１６、１１６に対向する位置には、突部１２１ａ，１２１ａが形成されることにより、一般的なロック機構が構成される。すなわち、突部１２１ａが対向する樹脂スプリング部１１６に嵌まり込むことにより、一般的なロック機構によるロックがなされた状態とされる。
【００１３】
一方、蓋体１２１の内面前側の両角部近傍には本体１１０側の上述した２個のロック用孔部１１７、１１７に対向する位置に所定の形状の２個の孔部１２４ｂ、１２４ｂが形成される。さらに、２組の１１７／１２４ｂのそれぞれに対してメイク／ブレイクピン１２５が２個嵌め込まれている。これらにより、第２のロック機構が構成されるが、その詳細については後述する。
【００１４】
さらに、蓋体１２１の内面中央には円形孔１２２が形成され、この円形孔１２２内にスタビライザ１２３が遊嵌される。スタビライザ１２３は、円形孔１２２の周縁部に形成された例えば６個等の所定個数の支持爪辺１２２ａにより、回動および揺動自在に支持される。このスタビライザ１２３は、載置面１１１に載置されて保持されるＣＤ−Ｒ９０の中心部の本体１１０に対する位置を保持するものであり、この一例においては合成樹脂製の円盤状に形成され、マグネットチャッキングができるように磁性金属板が内蔵されている。
【００１５】
次に、シャッター機構部１３０について説明する。シャッター機構部１３０には、シャッタープレート１３１、スライダ１３２、スプリング１３３，固定部品１３４，可動部品１３５等が含まれる。シャッタープレート１３１は、薄肉の板体で例えば金属板により形成されて本体１１０の窓孔１１２を閉塞するものである。このシャッタープレート１３１は、載置面１１１の裏面側に対接され、その後部が断面コ字状に形成されている。このシャッタープレート１３１の後部がスライダ１３２に嵌着され、スライダ１３２は、後壁部１１４の後面側に横方向に形成されたガイド溝（図１中では影となる位置にあるため図示せず）に、横方向への移動が可能な状態で設置される。
【００１６】
一方、シャッタープレート１３１の前部は、載置面１１１の裏面側前部に横方向に形成されたスリット（図１中では影となる位置にあるため図示せず）に挿入されている。また、上述の図示しないガイド溝内に、スプリング１３２，スプリング１３２の一端がフックされた本体１１０に固定される固定部品１３４，およびスプリング１３２の他の一端がフックされ、本体１１０に対しては横方向に可動な可動部品１３５が設置される。この可動部品１３５は、スライダ１３２に対して、従ってシャッタープレート１３１に対して固定されている。
【００１７】
スプリング１３３がスライダ１３２を常時中央に位置するように偏倚するので、ディスクキャディー１００が装置のディスクドライブに挿入されていない場合には、再生窓孔１１２が常時閉塞される。また、シャッタープレート１３１の裏面には、中央長手方向および横方向にガイド凹溝（図１中では影となる位置にあるため図示せず）１４ｃがリブ状に形成されている。
【００１８】
ディスクキャディー１００が全体として装置のディスクドライブに所定量挿入された時には、装置側に配置された所定の操作部材に上述のシャッター機構が係合して、操作部材により、ディスクキャディー１００の移送に連動してスプリング１３３の押力に抗して摺動される。これにより、シャッタープレート１３１が窓孔１１２を開放する。
【００１９】
このようにして、ディスクキャディー１００がディスクドライブ内の所定位置（記録／再生等が行われる位置）にセットされた状態では、ディスクドライブ内のターンテーブルが窓孔１１２の円形孔部を通して本体１１０に進入した状態となる。そして、スタビライザ１２３が吸引されてＣＤ−Ｒ９０がこのターンテーブルとスタビライザ１２３の間に挟持され、この状態でディスクドライブのヘッドが窓孔１１２の長方形孔部を通してＣＤ−Ｒ９０に当接する。そこでターンテーブルが回転すると、ＣＤ−Ｒ９０がスタビライザ１２３と一体に回転し、ヘッドにより信号の記録／再生が行われる。
【００２０】
以下、第２のロック機構について詳細に説明する。第２のロック機構は、メイク／ブレイクピン１２５と、ロック用孔部１１７内に形成されたカム面１１８とからなる。まず、メイク／ブレイクピン１２５について以下に説明する。図２Ａは、メイク／ブレイクピン１２５を斜め上からみた図である。メイク／ブレイクピン１２５には、半径が大きく高さが小さい上部円柱部１５２と、上部円柱部１５２の底面より小さい半径を有し、高さが大きい下部円柱部１５３とからなる。
【００２１】
上部円柱部１５２の底面上には、直径に沿って操作用溝１５４が形成され、また、上部円柱部１５２の側面上には、互いに反対方向に突出する２個の樹脂スプリング部１５５、１５５が形成されている。一方、下部円柱部１５３上には、ディスクキャディー１００が閉じられた状態においてカム面１１８に当接するロック用凸部１５７が形成される。
【００２２】
また、図２Ｂは、これら２個の樹脂スプリング部１５５，１５５が突出する方向に平行な平面でメイク／ブレイクピン１２５を切った時の断面図である。図２Ｂに示されるように、上部円柱部１５２の直下（すなわち、図２Ａにおいては上部円柱部１５２の影となる位置）の下部円柱部１５３の側面には、取付け用切り欠き１５６が円環状に形成される。樹脂スプリング部１５５，１５５の下側には、それぞれ、球面状の突出部１５５ａ、１５５ａが形成される。
【００２３】
操作用溝１５４は、ユーザが行う開閉操作においてメイク／ブレイクピン１２５を回転させるための力を加えるための部分である。また、２つの樹脂スプリング部１５５，１５５は、ロックされた状態において蓋体１２１を下方に押し下げ、蓋体１２１を本体１１０に固定する力を伝達する部分であり、突出部１５５ａ、１５５ａが蓋体１２１の上面に直接接触する。さらに、取付け用切り欠き１５６に、蓋体１２１上の孔部１２４ｂの縁が嵌まり込むことにより、メイク／ブレイクピン１２５が一旦取り付けられた後では、ロックされた状態であるか否かに関わらず通常の使用条件では蓋体１２１から外れないようになされる。
【００２４】
そして、ユーザがメイク／ブレイクピン１２５を回転させる操作を行うことにより、ロックされた状態を生じさせることができる。すなわち、図３に示すように、かかる操作によってロック用凸部１５７が後述するようにカム面１１８上で移動し、その結果としてロック用凸部１５７がカム面１１８上の凹部１１８ａに嵌入する。嵌入した状態ではメイク／ブレイクピン１２５の位置が固定されるので、２つの樹脂スプリング部１５５，１５５によって蓋体１２１が本体１１０に固定され、ロックされた状態とされる。ここで、図３は、メイク／ブレイクピン１２５の高さ方向に垂直な方向から図示したものであり、凹部１１８ａ（および凹部１１８ａを含むカム面１１８）は、ロック用凸部１５７が移動するためにロック用孔部１１７の底部付近から側壁側に拡張された部分の上面に形成される。
【００２５】
メイク／ブレイクピン１２５の回転に伴うロック用凸部１５７の移動について図４を参照して説明する。図４において、縦方向がロック用孔部１１７の深さ方向に対応しており、横方向が回転角度に対応している。蓋体１２１が開放される際のロック用凸部１５７の位置Ｕを起点として、回転が進むにつれてロック用凸部１５７が右に移動していくが、一方、カム面１１８は、回転が進むにつれて高さが低くなる（すなわちロック用孔部１１７の深さが大きくなる方向に進む）ような形状を有している。
【００２６】
このため、ロック用凸部１５７は、メイク／ブレイクピン１２５の回転に伴って移動していくにつれて深い位置に引き込まれ、その結果、メイク／ブレイクピン１２５自体がロック用孔部１１７により深く入り込むので、蓋体１２１の本体１１０に対する密着度が増していくようになされる。
【００２７】
このような移動によって最終的にロック用凸部１５７が凹部１１８ａに嵌入するためには、凹部１１８ａの直前の端部１１８ｂを乗り越える必要がある。このため、この端部１１８ｂを含むカム面１１８を押込んで弾性的に変形させるための比較的大きな力が必要とされる（すなわち、カム面１１８が弾性的に変形しない限りにおいては、端部１１８ｂがロック用凸部１５７の凹部１１８ａへの接近を妨げるようになされている）。そして、一旦、ロック用凸部１５７が凹部１１８ａに嵌入すると、カム面１１８全体が元の形状に戻る。このため、嵌入したロック用凸部１５７が凹部１１８ａから偶発的に外れる可能性は極小さいものとなる。但し、かかる可能性は、凹部１１８ａ付近のカム面１１８の形状、特に端部１１８ｂの形状に依存する。
【００２８】
すなわち、凹部１１８ａと、端部１１８ｂとがなす角度を設定するに際しては、以下のような条件を検討する必要がある。かかる角度をあまり小さくすると、ロックされた状態を形成するためにロック用凸部１５７が急峻な障壁を乗り越えなければならないので、ロックする操作において大きな力を掛ける必要が生じ、ユーザにとって不便なものとなると共に、カム面１１８およびメイク／ブレイクピン１２５の劣化を早めるおそれがある。
【００２９】
一方、かかる角度をあまり大きくすると、一旦ロックされた状態とされた後にロック用凸部１５７が凹部１１８ａから外れ易くなり、ロックが偶発的に解除される可能性が高くなる。このような事情を考慮し、ロックが偶発的に解除される要因等、この発明を適用しようとするディスクキャディーが使用される環境等を考慮して適切な角度を設定すれば良い。
【００３０】
また、カム面１１８を形成する材質（上述したように一般に合成樹脂を使用することができる）の選定に際しては、弾性的な変形に係る物性上の性質に配慮する必要がある。カム面１１８は本体１１０に形成されるので、一般的にはカム面１１８が本体１１０を形成する材質によって形成される。このため、本体１１０を形成する材質の選定は、カム面１１８の材質としての適合性をも考慮して行う必要がある。
【００３１】
但し、例えばロック用孔部１１７には最終的なカム面を形成せず、ロック用孔部１１７を所定の形状として形成した後に、別個にカム面を形成するための加工を行うようにしても良い。このようにすれば、例えば弾性変形しにくい等、カム面１１８を形成するためには不適当な物性を有する材質を用いて本体１１０を形成しても、第２のロック機構の形成に支障を生じないようにすることができる。
【００３２】
また、ロックを解除する場合には、ロックするための操作とは反対に、凹部１１８ａに嵌入しているロック用凸部１５７を凹部１１８ａの外に移動させれば良い。嵌入を解消する移動の際にも、凹部１１８ａの直前の端部１１８ｂを乗り越える必要があるので、端部１１８ｂを含むカム面１１８を押込んで弾性的に変形させるための比較的大きな力が必要とされる。このように、ロックを解除するために比較的大きな力が必要となるので、ロックが偶発的に解除される可能性を低くすることができる。
【００３３】
上述したこの発明の一実施形態においては、蓋体側に凸部が形成された可動部分が設けられ、本体側に、凹部を含むカム面が形成された固定部分が設けられているが、蓋体側に凹部を含むカム面を形成し、本体側に凸部を形成しても良い。また、凸部を固定部分上に形成し、凹部を可動部分上に形成するようにしても良い。
【００３４】
上述したこの発明の一実施形態は、ＣＤ−Ｒに対して記録および／または再生を行う装置に使用されるディスクキャディーに対してこの発明を適用したものである。これに対して、例えばＣＤ−Ｒ，ＣＤ−ＲＷ，ＤＶＤ−ＲおよびＤＶＤ−ＲＷ等のディスク状情報記録媒体に対して記録および／または再生を行う装置に使用されるディスクキャディーに対してこの発明を適用することも可能である。
【００３５】
また、この発明は、上述した実施の形態に限定されることなく、この発明の要旨を逸脱しない範囲で種々の応用および変形が考えられる。
【００３６】
【発明の効果】
上述したように、この発明は、従来から設けられている一般的なロック機構に加えて、以下のような構成を設けたものである。すなわち、ディスクキャディーの本体または蓋体の内の一方に、凹部と、所定の大きさ以上の力が加えられることにより弾性変形しない限りにおいてかかる凹部への接近を妨げる形状部分とを含む弾性変形し得る材質によって形成されたカム面を設け、また、他方に、上記本体または蓋体とは別個で、上記凹部に嵌入し得る凸部を含む、回動部品を設けているものである。かかる構成により、ユーザが所定の大きさ以上の力を加えてカム面と凹部との位置関係を変化させることにより、カム面上の凹部と凸部とが嵌合することによる第２のロック機構によるロックを行うことができる。
【００３７】
これらの構成により、ユーザの誤操作や偶発的な接触、衝撃力等の外乱によってユーザが意図しない時に蓋体が開放されてしまうことを防ぐことができる。
【００３８】
このため、蓋体が偶発的に開放することによって、ディスクキャディー内に保持されていたＣＤ−Ｒ等のディスク状情報記録媒体が飛び出し、記録されていた情報が損なわれること等を防止することができる。
【００３９】
また、ユーザは、蓋体が偶発的に開放するおそれに配慮すること無くＣＤ−Ｒ等のディスク状情報記録媒体を装置に装着する操作を行うことができるので、ディスク状情報記録媒体を装置に装着する際の操作性を向上させることができる。
【図面の簡単な説明】
【図１】  この発明を適用することができるディスクキャディーの一例について説明するための略線図である。
【図２】  この発明の一実施形態の一部の構成について説明するための略線図である。
【図３】  この発明の一実施形態におけるロックされた状態について説明するための略線図である。
【図４】  この発明の一実施形態におけるロック時の動作について説明するための略線図である。
【図１】
0004110596.tif 000002
【図２】
0004110596.tif 000003
【図３】
0004110596.tif 000004
【図４】
0004110596.tif 000005